【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
入射光を電気信号に変換することにより撮像を行う撮像手段と、
前記撮像手段を露光した状態で撮像動作を行って第１の撮像信号を得る第１の撮像動作と、前記撮像手段を遮光した状態で撮像動作を行って第２の撮像信号を得る第２の撮像動作とを制御する制御手段と、
前記第１の撮像信号から前記第２の撮像信号を減算する信号処理手段とを有し、
前記制御手段は、前記第１の撮像動作と前記第２の撮像動作とで、前記撮像手段を駆動する水平周期を異ならせることを特徴とする撮像装置。
【請求項２】
前記制御手段は、前記水平周期の各水平期間における有効画素期間以外の期間の長さを異ならせることで、前記第１の撮像動作と前記第２の撮像動作とで水平周期を異ならせることを特徴とする請求項１に記載の撮像装置。
【請求項３】
前記制御手段は、前記水平周期の各水平期間におけるブランキング期間を異ならせることで、前記第１の撮像動作と前記第２の撮像動作とで水平周期を異ならせることを特徴とする請求項２に記載の撮像装置。
【請求項４】
前記制御手段は、前記水平周期の各水平期間における空転送期間を異ならせることで、前記第１の撮像動作と前記第２の撮像動作とで水平周期を異ならせることを特徴とする請求項２に記載の撮像装置。
【請求項５】
入射光を電気信号に変換することにより撮像を行う撮像手段を有する撮像装置の制御方法であって、
設定手段が、前記撮像手段を駆動する水平周期を第１の周期に設定する第１の設定工程と、
制御手段による制御により、前記撮像手段を露光した状態で、前記第１の周期で撮像動作を行って第１の撮像信号を得る第１の撮像工程と、
前記設定手段が、前記撮像手段を駆動する水平周期を、前記第１の周期とは異なる第２の周期に設定する第２の設定工程と、
前記制御手段による制御により、前記撮像手段を遮光した状態で、前記第２の周期で撮像動作を行って第２の撮像信号を得る第２の撮像工程と、
信号処理手段が、前記第１の撮像信号から前記第２の撮像信号を減算する信号処理工程と
を有することを特徴とする制御方法。
【請求項６】
前記第１及び第２の設定工程では、前記水平周期の各水平期間における有効画素期間以外の期間の長さを異ならせることで、前記第１の周期と前記第２の周期とを異ならせることを特徴とする請求項５に記載の制御方法。
【請求項７】
前記第１及び第２の設定工程では、前記水平周期の各水平期間におけるブランキング期間を異ならせることで、前記第１の周期と前記第２の周期とを異ならせることを特徴とする請求項６に記載の制御方法。
【請求項８】
前記第１及び第２の設定工程では、前記水平周期の各水平期間における空転送期間を異ならせることで、前記第１の周期と前記第２の周期とを異ならせることを特徴とする請求項６に記載の制御方法。
【手続補正２】
【補正対象書類名】明細書
【補正対象項目名】００３３
【補正方法】変更
【補正の内容】
【００３３】
（１）本撮影画像と比べて目立たないケース（位相差１、図１４の（ａ）と（ｃ））。
（２）本撮影画像と比べて著しく目立つケース（位相差２、図１４の（ｄ）と（ｅ））。
（３）本撮影画像と比べて全く目立たないケース（位相差０、図１４の（ｂ））。
本撮影画像とダーク画像の周期ノイズ画素どおしが上手くキャンセルされるように位相関係を精度よく管理できれば、周期性ノイズのない画像を最終的に生成することも考えられる。
【手続補正３】
【補正対象書類名】明細書
【補正対象項目名】００３９
【補正方法】変更
【補正の内容】
【００３９】
上記目的を達成するために、本発明の撮像装置は、入射光を電気信号に変換することにより撮像を行う撮像手段と、前記撮像手段を露光した状態で撮像動作を行って第１の撮像信号を得る第１の撮像動作と、前記撮像手段を遮光した状態で撮像動作を行って第２の撮像信号を得る第２の撮像動作とを制御する制御手段と、前記第１の撮像信号から前記第２の撮像信号を減算する信号処理手段とを有し、前記制御手段は、前記第１の撮像動作と前記第２の撮像動作とで、前記撮像手段を駆動する水平周期を異ならせる。
【手続補正４】
【補正対象書類名】明細書
【補正対象項目名】００４０
【補正方法】変更
【補正の内容】
【００４０】
また、入射光を電気信号に変換することにより撮像を行う撮像手段を有する撮像装置の本発明の制御方法は、設定手段が、前記撮像手段を駆動する水平周期を第１の周期に設定する第１の設定工程と、制御手段による制御により、前記撮像手段を露光した状態で、前記第１の周期で撮像動作を行って第１の撮像信号を得る第１の撮像工程と、前記設定手段が、前記撮像手段を駆動する水平周期を、前記第１の周期とは異なる第２の周期に設定する第２の設定工程と、前記制御手段による制御により、前記撮像手段を遮光した状態で、前記第２の周期で撮像動作を行って第２の撮像信号を得る第２の撮像工程と、信号処理手段が、前記第１の撮像信号から前記第２の撮像信号を減算する信号処理工程とを有する。
【手続補正５】
【補正対象書類名】明細書
【補正対象項目名】００７１
【補正方法】変更
【補正の内容】
【００７１】
６０はモードダイアルスイッチで、静止画撮影モードと動画撮影モードの動作の始動を区別して行うためのモード切替えスイッチである。
【手続補正６】
【補正対象書類名】明細書
【補正対象項目名】０１０９
【補正方法】変更
【補正の内容】
【０１０９】
システム制御回路５０は、測光データに従って撮像素子１４の露光終了を待ち、シャッター制御部４０を介してシャッター１２を閉じ（ステップＳ３０５）、撮像素子１４の露光を終了する（ステップＳ３０６）。そして、システム制御回路５０は、タイミング発生回路１８に対して撮像素子１４から撮像信号を読み出すための設定（第１の設定）を行う（ステップＳ３０７）。システム制御回路５０は、内蔵する同期信号発生部より、タイミング発生回路１８に供給する垂直、水平同期信号の周期を設定するとともに供給を開始する（ステップＳ３０８）。タイミング発生回路１８から供給された垂直、水平の同期信号に同期して撮像素子１４から撮像信号の読み出しを行う（ステップＳ３０９）。ここでは、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域へ静止画像データを書き込む。なお、上述した撮像素子１４を露光して、得られた画像データ記録する為の撮影を、以下「本撮影」と呼び、得られた画像及び画像データをそれぞれ「本撮影画像」及び「本撮影画像データ」と呼ぶ。なお、本撮影画像データは、請求項における第１の撮像信号に対応し、上述したステップＳ３０３からステップＳ３０９の処理は請求項における第１の撮像動作に対応する。
【手続補正７】
【補正対象書類名】明細書
【補正対象項目名】０１２４
【補正方法】変更
【補正の内容】
【０１２４】
タイミング発生回路１８は、システム制御回路５０から設定された水平ブランキングのアクティブ期間の情報を受けて、ＰＢＬＫがＬＯＷの間、水平ブランキング期間とする。そして、タイミング発生回路１８は、各水平ブランキング期間の終わりのタイミングで、撮像素子１４やＡ／Ｄ変換器１６を含むアナログ信号処理領域への全ての水平系のタイミング信号の供給を開始する機能を有する。例えば、クランプパルス（ＣＬＰＯＢ）の場合、図５（ａ）、（ｂ）から分かるように、各水平期間の始めを基準とすると、ＰＢＬＫ（水平ブランキング期間）の伸長に連動して、クランプパルス（ＣＬＰＯＢ）が出力されるタイミングが変わる。なお、クランプパルスは、ＯＢ画素のレベルを撮像信号の黒基準値となるように直流電圧レベルの調整を行うためにＯＢ画素期間を指し示すパルスである。